(57)【要約】【課題】光源部ユニットを外さずに表示ユニットの着脱のみで、施工、電池交換可能な構造の誘導灯を提供する。【解決手段】前面の上下方向にわたって開口部１ｇが形成された器具本体１と、開口部１ｇの上側の周縁部１ｊ近傍の初期位置に取り付けられる光源ユニット３であって、初期位置から上方にスライドする光源ユニット３と、所定の情報を表示する表示パネル４ｂを備えた表示ユニット４であって、光源ユニット３を押し上げて光源ユニット３を初期位置から上方へスライドさせながら器具本体１に取り付けられる表示ユニット４とを備える。【選択図】図５
2014137877.tif 000002
【特許請求の範囲】
【請求項１】
前面の上下方向にわたって開口部が形成された器具本体と、
前記開口部の上側の周縁部近傍の所定の位置に取り付けられる光源部であって、前記所定の位置から上方にスライドする光源部と、
所定の情報を表示する表示板であって、前記光源部を押し上げて前記光源部を前記所定の位置から上方へスライドさせながら前記器具本体に取り付けられる表示板と
を備えることを特徴とする表示装置。
【請求項２】
前記光源部は、
前記所定の位置から上方へスライドされると前記所定の位置に戻ろうとする弾性力を有する弾性体を備えたことを特徴とする請求項１に記載の表示装置。
【請求項３】
前記光源部は、
長く延びた形状であり、長手方向の両側の端部に一対の突起部を備え、
前記器具本体は、
前記開口部の上側の周縁部近傍に、前記光源部の前記一対の突起部を上下方向にガイドする一対のガイド部を備える
ことを特徴とする請求項２に記載の表示装置。
【請求項４】
前記弾性体は、
前記光源部の備える前記一対の突起部の各突起部と、前記器具本体の備える前記一対のガイド部の各ガイド部とを連結することを特徴とする請求項３に記載の表示装置。
【請求項５】
前記表示板は、上部に設けられた端面により、前記光源部を押し上げることを特徴とする請求項１〜４のいずれかに記載の表示装置。
【発明の詳細な説明】
【技術分野】
【０００１】
本発明は、天井面や壁面などの施工面に取り付けられる表示装置に関するものであり、特に、誘導灯に関するものである。
【背景技術】
【０００２】
従来の誘導灯においては、表示ユニットを上下スライドにより器具本体に取り付け、その後、光源ユニットを器具本体に取り付ける構造がある（例えば、特許文献１）。
【０００３】
また、誘導灯において、表示ユニットを上下方向へのスライドで器具本体に取り付け、その係合手段、係止手段を設けた技術がある（例えば、特許文献２）。
【先行技術文献】
【特許文献】
【０００４】
【特許文献１】特許第５０１３０９３号公報
【特許文献２】特許第３７２１９５９号公報
【発明の概要】
【発明が解決しようとする課題】
【０００５】
誘導灯において、省電力化を目的として光源が蛍光灯から冷陰極ランプ、ＬＥＤ（発光ダイオード）へ変わり、内照式から導光板を使用したエッジライト方式へと移り替わってきた。エッジライト方式の器具は、内照式に比べ、光源が器具本体外にあるため、器具内のスペースを有効に使用することができる。
しかしながら、特許文献１のように器具本体からの表示ユニットの着脱時には、必ず光源ユニットを着脱しなければならない。そのため、器具の施工性、蓄電池の交換の際の作業性が悪いという課題がある。
【０００６】
また、特許文献２のように、器具本体に表示ユニットを下からのスライドで取り付ける構造は、係合、係止手段が破損すると表示ユニットが落下してしまうため、安全性が低いという課題がある。
【０００７】
その他、上方からのスライドで表示ユニットを取り付ける場合は光源ユニットと表示ユニット（ＬＥＤと導光板）とを近接させることができず、光源の利用効率を落としてしまうという課題がある。また、正面からの表示ユニットの取り付けは、ＬＥＤと導光板の距離が近いため、ＬＥＤを傷つけてしまう虞があるという課題がある。
【０００８】
本発明は、光源部ユニットを外さずに表示ユニットの着脱のみで、施工、電池交換等が可能な構造の誘導灯（表示装置）を提供することを目的とする。
【課題を解決するための手段】
【０００９】
本発明に係る表示装置は、前面の上下方向にわたって開口部が形成された器具本体と、前記開口部の上側の周縁部近傍の所定の位置に取り付けられる光源部であって、前記所定の位置から上方にスライドする光源部と、所定の情報を表示する表示板であって、前記光源部を押し上げて前記光源部を前記所定の位置から上方へスライドさせながら前記器具本体に取り付けられる表示板とを備えることを特徴とする。
【発明の効果】
【００１０】
本発明に係る表示装置は、前面の上下方向にわたって開口部が形成された器具本体と、前記開口部の上側の周縁部近傍の所定の位置に取り付けられる光源部であって、前記所定の位置から上方にスライドする光源部と、所定の情報を表示する表示板であって、前記光源部を押し上げて前記光源部を前記所定の位置から上方へスライドさせながら前記器具本体に取り付けられる表示板とを備えることにより、光源部を外さずに表示板を着脱することができるため、安全性・作業性が向上するという効果を奏する。
【図面の簡単な説明】
【００１１】
【図１】実施の形態１に係る誘導灯１０を示す図であり、（ａ）は誘導灯１０の斜視図、（ｂ）は誘導灯１０の分解斜視図である。
【図２】実施の形態１に係る器具本体１部分の分解斜視図である。
【図３】実施の形態１に係る本体取付用突起３ａと光源ユニット取付部１ｆとの部分拡大図であり、（ａ）は図２のＢ部の部分拡大図、（ｂ）はＣ部の部分拡大図である。
【図４】実施の形態１に係る本体取付用突起３ａと光源ユニット取付部１ｆとの係合時の内部構造を示す図であり、（ａ）は光源ユニット３が初期位置にある場合を示した図、（ｂ）は光源ユニット３が初期位置から上方へスライドした状態を示した図である。
【図５】実施の形態１に係る誘導灯１０において、表示ユニット４を器具本体１に取り付ける方法（ａ）〜（ｄ）を示した図である。
【発明を実施するための形態】
【００１２】
以下の実施の形態について、図を用いて説明する。なお、以下の実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１３】
実施の形態１．
図１は、本実施の形態に係る誘導灯１０を示す図であり、（ａ）は誘導灯１０の斜視図、（ｂ）は誘導灯１０の分解斜視図である。図２は、本実施の形態に係る器具本体１部分の分解斜視図である。
図１及び図２を用いて、本実施の形態に係る誘導灯１０（表示装置）の全体構成について説明する。
【００１４】
図１（ａ）に示すように、誘導灯１０は、器具本体１、表示ユニット４（表示板）を備える。表示ユニット４は、枠部４ａ、表示パネル４ｂを備える。
また、図１（ｂ）に示すように、器具本体１は、点灯ユニット２、光源ユニット３、電源端子台５、バッテリ６、点検スイッチＡＳＳＹ７、電気接続部８を内部に備える。
【００１５】
器具本体１は、略平箱形状であり、前面の上下方向にわたって開口部１ｇが形成されている。
器具本体１は、商用電源につながる電源線を器具内に挿入するための電源用ノックアウト（天井用）１ａ、電源用ノックアウト（壁用）１ｃ、器具を取り付けるための被取付用ノックアウト（天井用）１ｂ、被取付用ノックアウト（壁用）１ｄが器具本体１の天面及び背面に配設されている。
【００１６】
ノックアウトにすることで電源線が挿入されない電源穴部分、ネジが挿入されない被取付部部分に穴が開かない構造となる。このように、必要な部分のみノックアウトを外すことができるので、誘導灯１０の美観を損ねることはない。
【００１７】
器具本体１は、開口部１ｇの上側の周縁部１ｊ近傍の長手方向両端部に、光源ユニット３の両側の端部と係合して、光源ユニット３を係止する一対の光源ユニット取付部１ｆを備える。
【００１８】
図２に示すように、光源ユニット取付部１ｆは、開口部１ｇの上側の周縁部１ｊ近傍の長手方向両端部から前方（開口している側）に突き出した略箱体である。光源ユニット取付部１ｆは、上部が開口している。光源ユニット取付部１ｆは、内側の面（他方の光源ユニット取付部１ｆ側の面）の上端部から中央部にかけて切り欠かれたスライド溝部１ｅを備える。スライド溝部１ｅは、光源ユニット３の端部に形成された本体取付用突起３ａ（図２参照）と係合する。
【００１９】
点灯ユニット２は、商用電源から電源端子台５を介して電力を入力する。点灯ユニット２は、電気接続部８を介して光源ユニット３に電力を供給し、光源ユニット３を点灯させる。
【００２０】
バッテリ６は、停電などの商用電源遮断時に人々が避難するまでの一定時間、点灯ユニット２へ電力を供給する。バッテリ６は、通常点灯時には、商用電源から電力を入力して充電状態となる。停電などの非常点灯時には、点灯ユニット２は、バッテリ６に充電された電力を用いて光源ユニット３を点灯させる。
【００２１】
点検スイッチＡＳＳＹ７は、電力の供給を商用電源からバッテリ６へ切り替え、正常に動作するか確認するための装置である。また、バッテリ６、光源ユニット３の異常、寿命等は、モニタ７ａにて赤、緑等のＬＥＤの点灯により表示することができる。
【００２２】
図１（ｂ）及び図２に示すように、光源ユニット３は、長手方向に長く延びた形状である。光源ユニット３は、長手方向の両側の端部が器具本体１の備える一対の光源ユニット取付部１ｆにより係止される。
光源ユニット３は、初期位置（図１（ｂ）の位置）から上方にスライド自在に、器具本体１に取り付けられる。光源ユニット３を上下方向にスライド自在に器具本体１に取り付ける方法については、後述する。
【００２３】
光源ユニット３（光源部）は、光源としてＬＥＤ（発光ダイオード）等の点光源を使用する。光源ユニット３は、点灯ユニット２から電力の供給を受け、表示ユニット４の表示パネル４ｂの上部（上端面）に光を照射する。
【００２４】
光源ユニット３は、図１（ｂ）に示すように、開口部１ｇの上側の周縁部１ｊ近傍の所定の位置に取り付けられる。ここで、光源ユニット３の図１（ｂ）に示す所定の位置を初期位置とする。光源ユニット３は、光源ユニット３に対して何も力が加えられていない場合は、初期位置にて安定的に係止する。
【００２５】
図２に示すように、光源ユニット３は、長手方向の両側の端部に一対の本体取付用突起３ａ（突起部）を備える。
光源ユニット３の本体取付用突起３ａは、器具本体１の光源ユニット取付部１ｆに形成されたスライド溝部１ｅに係合し、光源ユニット３は、上下方向にスライド可能な構造となっている。
【００２６】
図３は、本実施の形態に係る本体取付用突起３ａと光源ユニット取付部１ｆとの部分拡大図であり、（ａ）は図２のＢ部の部分拡大図、（ｂ）はＣ部の部分拡大図である。
【００２７】
図３（ａ）に示すように、本体取付用突起３ａは、光源ユニット３の端面３ｅから長手方向に突き出している。本体取付用突起３ａは、首部３ｂと、突出部３ｃとを備える。光源ユニット３は、両側の端面３ｅに同一形状の本体取付用突起３ａを備えている。
【００２８】
図３（ｂ）に示すように、光源ユニット取付部１ｆは、開口部１ｇの上側の周縁部１ｊ近傍の長手方向両端部から前方に突き出した略箱体である。光源ユニット取付部１ｆは、上部が開口している略箱体である。光源ユニット取付部１ｆは、内側の面１ｍ（他方の光源ユニット取付部１ｆ側の面）の上端部から中央部にかけて切り欠かれたスライド溝部１ｅを備える。
【００２９】
一対の光源ユニット取付部１ｆは、スライド溝部１ｅが形成されている面（内側の面１ｍ）が対向するように配置されている。
一対の光源ユニット取付部１ｆは、器具本体１の開口部１ｇの上側の周縁部１ｊ近傍において、光源ユニット３の一対の本体取付用突起３ａを上下方向にガイドする一対のガイド部である。
【００３０】
光源ユニット３の本体取付用突起３ａを光源ユニット取付部１ｆに取り付ける際は、スライド溝部１ｅに本体取付用突起３ａの首部３ｂを嵌めるとともに突出部３ｃを略箱体の内部に収納するように、本体取付用突起３ａとスライド溝部１ｅとを係合する。
【００３１】
図４は、本実施の形態に係る本体取付用突起３ａと光源ユニット取付部１ｆとの係合時の内部構造を示す図であり、（ａ）は光源ユニット３が初期位置にある場合を示した図、（ｂ）は光源ユニット３が初期位置から上方へスライドした状態を示した図である。
図４では、特に、本体取付用突起３ａと光源ユニット取付部１ｆとの係合部分に着目した図であり、その他の部分の構成の記載は省略している場合がある。
【００３２】
本体取付用突起３ａと光源ユニット取付部１ｆとの係合部分には、光源ユニット３が初期位置から上方へスライドされると、光源ユニット３を初期位置に戻そうとする弾性力を有する弾性体１１が設けられる。
弾性体１１は、本体取付用突起３ａと光源ユニット取付部１ｆとを連結する。
弾性体１１は、例えば、バネ、スポンジ、ゴムなどである。
【００３３】
具体的には、図４（ａ）（ｂ）に示すように、弾性体１１は、本体取付用突起３ａの下端面３ｆと光源ユニット取付部１ｆの略箱体の下面の内側とを連結する。
【００３４】
図４（ａ）に示すように、弾性体１１は本体取付用突起３ａの下端面３ｆと光源ユニット取付部１ｆの略箱体の下面の内側１ｈとを連結しており、光源ユニット３は、初期位置で安定的に係止されている。
【００３５】
図４（ｂ）に示すように、光源ユニットに対して、光源ユニット３を上方にスライドさせるように力を加えると、光源ユニット３は弾性体１１を伸長させながら上方へ移動する。このとき、光源ユニット３には、弾性体１１が縮もうとする力により、下方に移動するように力が加わる。
【００３６】
図５は、本実施の形態に係る誘導灯１０において、表示ユニット４を器具本体１に取り付ける方法（ａ）〜（ｄ）を示した図である。
図５（ａ）〜（ｄ）を用いて、本実施の形態に係る誘導灯１０において、表示ユニット４を器具本体１に取り付ける方法について説明する。
【００３７】
図５（ａ）は、表示ユニット４を器具本体１に取り付ける前の状態を示す他図である。
図５（ａ）に示すように、表示ユニット４は、枠部４ａ（図１参照）を備え、表面には透過性の樹脂材料により形成されたカバー４ｄを備える。カバー４ｄの内側には、避難口、もしくは避難口の方向を示すピクトが印刷されている表示パネル４ｂを備える。さらに、表示パネル４ｂの内側には、カバー４ｄ同様に、透過性の樹脂材料により形成された導光板４ｃを備える。
表示ユニット４は、所定の情報を表示する表示板である。
【００３８】
図５（ａ）に示すように、器具本体１は、開口部１ｇの上側の周縁部１ｊの近傍に、上方に突き出した表示ユニット取付突起１ｉを備える。表示ユニット取付突起１ｉは、図１（ｂ）、図２、図３（ｂ）に示すように、上側の周縁部１ｊの近傍に２箇所設けられる。
【００３９】
また、表示ユニット４は、上部近傍に、裏面側に突き出した爪状（カギ状）の引っ掛け部４ｅを備える。引っ掛け部４ｅは、表示ユニット４を器具本体１に取り付ける際に、表示ユニット取付突起１ｉに被せて引っ掛ける構造となっている。
引っ掛け部４ｅの上端面を、引っ掛け部上端面４ｆとする。引っ掛け部上端面４ｆは、表示ユニット４の上部に設けられた端面の一例である。
【００４０】
図５（ａ）の状態から、表示ユニット４の器具本体１への取り付けを開始する。
図５（ｂ）に示すように、表示ユニット４の引っ掛け部上端面４ｆを光源ユニット３の下端面３ｄに当接させながら、表示ユニット４を器具本体１の開口部１ｇに近接させる。このとき、光源ユニット３は、初期位置に係止されている。
【００４１】
図５（ｃ）に示すように、表示ユニット取付突起１ｉは、前面側から背面側に向かって上るように傾斜する傾斜部１ｋを備えて上方に突き出している。
引っ掛け部４ｅの先端部が表示ユニット取付突起１ｉの傾斜部１ｋに到達すると、傾斜部１ｋの傾斜に沿って引っ掛け部４ｅが上方に移動する。
【００４２】
引っ掛け部４ｅが上方に移動するのにしたがって、引っ掛け部上端面４ｆは、当接する光源ユニット３の下端面３ｄを上方に押し上げる。そして、光源ユニット３は、初期位置から上方にスライドされる。
このとき、図４（ｂ）において説明したように、光源ユニット３には弾性体１１により初期位置に戻るように下方に弾性力が加わっている。
【００４３】
図５（ｄ）に示すように、引っ掛け部４ｅの先端部が表示ユニット取付突起１ｉを乗り越えて、引っ掛け部４ｅが表示ユニット取付突起１ｉに引っ掛けられる。
引っ掛け部４ｅが表示ユニット取付突起１ｉに引っ掛けられると、上方へ移動した表示ユニット４は下方に移動し、開口部１ｇを塞ぐ位置に配置される。
【００４４】
光源ユニット３は、表示ユニット４が下方へ移動したのにともなって、弾性体１１の弾性力により初期位置に戻る。
このとき、表示パネル４ｂ及び導光板４ｃの上端面に光源ユニット３のＬＥＤが近接するように配置される。このように、光源ユニット３と表示ユニット４（ＬＥＤと導光板４ｃ）とを近接させることができるので、光源の利用効率を向上させることができる。
【００４５】
以上のように、本実施の形態に係る誘導灯１０は、表示ユニット４を器具本体１へ開口面側（開口部１ｇ側）より挿入した際、表示ユニット４が光源ユニット３に係合し、光源ユニット３を上方へ押し上げる。その後、表示ユニット４が下方へ器具本体１に係合しながらスライドするとともに、光源ユニット３がＬＥＤ（光源）と表示ユニット４の導光板４ｃとが近づくようにスライドし、表示ユニット４が器具本体１に取り付けられる。
【００４６】
また、本実施の形態に係る誘導灯１０は、少なくとも前面に開口部１ｇを有し、電気部品収納部を有する箱状の器具本体１と、器具本体１に配置される電源端子台５と、光源ユニット３を点灯させる点灯ユニット２と、バッテリ６とを器具本体１に着脱可能に取り付けられ、光源ユニット３により光る矩形状の表示ユニット４を有する。光源ユニット３は器具本体１へ上下に可動可能に取り付られる。
【００４７】
また、誘導灯１０は、光源ユニット３が器具本体１へ上下に可動可能に取り付けられ、さらに弾性材料により、上方へ位置した場合に下方へ力が加わることを特徴とする。
【００４８】
また、誘導灯１０は、光源ユニット３が器具本体１に上下に可動可能に取り付けられ、表示ユニット４を開口部１ｇ側より器具本体１への挿入時は上方へ光源ユニット３が移動し、表示ユニット４が器具本体１へ取り付けられるとともに光源ユニット３が下方へ移動することを特徴とする。
【００４９】
以上のように、本実施の形態に係る誘導灯１０によれば、光源ユニットを外さずに表示ユニットの着脱のみで、施工、電池交換等をすることができる。そのため作業性が向上する。
【００５０】
また、本実施の形態に係る誘導灯１０によれば、光源ユニットを外さずに表示ユニットを着脱することができるので、部品の落下等の虞を低減することができ、安全性・作業性の高い誘導灯を提供することができる。
【００５１】
また、本実施の形態に係る誘導灯１０によれば、光源ユニットと表示ユニット（ＬＥＤと導光板）を近接させ、光の利用効率を落とさず作業することができるとともに、表示ユニットは落下の危険性の低い上方からのスライドによる取り付けが可能となる。また、正面からの表示ユニットの取り付けは、ＬＥＤと導光板の距離が近いためＬＥＤを傷つけてしまう虞があったが、本実施の形態によれば、そのようなＬＥＤを傷つけてしまう虞を低減することができる。
【００５２】
本実施の形態では、表示装置として誘導灯について説明したが、例えば、誘導灯以外の情報（例えば、名称表示、広告等の情報）を表示する表示装置であっても適用可能である。また、上記実施の形態について説明したが、上記の実施の形態に限定されるものではなく、必要に応じて種々の変更が可能である。
【符号の説明】
【００５３】
１  器具本体、１ａ  電源用ノックアウト（天井用）、１ｂ  被取付用ノックアウト（天井用）、１ｃ  電源用ノックアウト（壁用）、１ｄ  被取付用ノックアウト（壁用）、１ｅ  スライド溝部、１ｆ  光源ユニット取付部、１ｇ  開口部、１ｈ  下面の内側、１ｉ  表示ユニット取付突起、１ｊ  上側の周縁部、１ｋ  傾斜部、１ｍ  内側の面、２  点灯ユニット、３  光源ユニット、３ａ  本体取付用突起、３ｂ  首部、３ｃ  突出部、３ｄ  下端面、３ｅ  端面、３ｆ  下端面、４  表示ユニット、４ａ  枠部、４ｂ  表示パネル、４ｃ  導光板、４ｄ  カバー、４ｅ  引っ掛け部、４ｆ  引っ掛け部上端面、５  電源端子台、６  バッテリ、７  点検スイッチＡＳＳＹ、７ａ  モニタ、８  電気接続部、１０  誘導灯、１１  弾性体。
【図１】
2014137877.tif 000003
【図２】
2014137877.tif 000004
【図３】
2014137877.tif 000005
【図４】
2014137877.tif 000006
【図５】
2014137877.tif 000007